(57)【要約】【課題】  本発明は、乳幼児のデリケートな肌を、縫合による縫合部や接合具による肌荒れや傷を負わす危険性がない少なくとも安全ものであり、保護者が乳幼児の肌荒れや傷を負わすことなく少なくとも安心して使用できるもので、乳幼児の頭髪をすみやかに拭くことができる乳幼児用のバスローブを提供する。【解決手段】  本発明の目的は、バスローブ本体と頭を覆うためのフードを有している乳幼児用バスローブであって、左右前身ごろとフードの相対する左右の部分はそれぞれ一枚の布からなっていて、肩線の位置は、肩の尾根よりも前身ごろの下方側にあることを特徴とする立体性に優れた乳幼児用バスローブによって達成できた。【選択図】        図７
2007224445.tif 000002
【特許請求の範囲】
【請求項１】
バスローブ本体と頭を覆うためのフードを有している乳幼児用バスローブであって、バスローブ本体と連続して設けられた頭を覆うためのフード部分の間に少なくともバスローブ本体の前身ごろ部分には縫合部がないことを特徴とする乳幼児用バスローブ。
【発明の詳細な説明】
【技術分野】
【０００１】
本発明は、乳幼児用バスローブに関し、特に頭髪に付いた水分の除去、頭部を冷やさないように保護できるバスローブ、あるいは上記機能を同様に果たすことのできる頭を覆うためのフード等が設けられた乳幼児用バスローブに関する。
【背景技術】
【０００２】
一般に、乳幼児用バスローブはタオル地等の吸水性・保温性のある布地からできたものであり、入浴や水遊びをした後に着る衣料として、乳幼児の体に付いた水分を除去し、体の冷えるのを防ぐものである。また、頭部にかぶせることですみやかに乳幼児の頭髪に付いた水分の除去や頭部に残留した水分で冷やさないように保護する役割を果たすことのできるバスローブ本体に縫合により連続して設けられた頭を覆うためのフードがあった。
【０００３】
前記の頭を覆うためのフードを頭部に被せると、バスローブ本体と頭を覆うためのフードの縫合部による縫い込み部分が直接、乳幼児の顔や胴部等に触れる度に肌が擦れて肌荒れをおこす原因の一つになっていたことを防止する目的で、肌の弱い乳幼児用バスローブとして、縫い込み部分が直接、肌に触れないように縫合部の縫い込み部分を別布で包んだもの、あるいは縫合部による縫い込み部分を肌が直接触れない表側にしたものが市販されている。
【０００４】
しかしながら、上記乳幼児用バスローブに適しているタオル地等の吸水性・保温性のある布地は厚地であり、バスローブ本体に縫合により連続して設けられた頭を覆うためのフードの縫合部による縫い込み部分を別布で包む方法、あるいは縫合部による縫い込み部分を表側にする方法いずれの場合も布地の厚みにより凸凹の段差ができるため、乳幼児の肌が擦れて肌荒れをおこす危険性からは解消されなかった。
【０００５】
特許文献１に開示された乳幼児用バスローブによれば、バスローブの本体部の襟ぐりの後部付近と乳幼児の頭部を拭くことができる布の縁辺付近とを着脱可能な接合具を備えるものだが、乳幼児の頭髪を拭く際、前記接合具により乳幼児の肌が擦れて肌荒れをおこす原因の一つであり場合によっては乳幼児の頭部や胴部等に傷を負わす危険性あるいは乳幼児が肌荒れや傷を負わせないように保護者が注意をする必要があった。
【特許文献１】実用新案登録第２０８６７０６号公報
【発明の開示】
【発明が解決しようとする課題】
【０００６】
一般に、乳児期体型は頸部がきわめて短く、顎と胸部が近いため二重顎になるなどの特性があり、乳児期動作は手足をバタつかせて喜び捻転運動などをする特性がある。乳児や幼児の顔や顎や頸や胸部等の肌はデリケートであり乳児期体型や動作の特性をふまえると、縫合部による縫い込み部分の布地の厚みによる凸凹の段差や着脱可能とする接合具によって乳幼児の肌が擦れて肌荒れや傷を負わす危険性が高かった。
【０００７】
本発明は、以上のような従来の欠点に鑑み、バスローブ本体と頭を覆うためのフードの縫合部による縫い込み部分の布地の厚みによる凸凹の段差や、バスローブの本体と乳幼児の頭部を拭くことができる布を容易に着脱可能とする接合具によって乳幼児の顔や顎や頸や胸部等の肌が擦れて肌荒れや傷を負わす危険性のない安全で安心に使用できる乳幼児用バスローブを提供する事を目的としている。
【課題を解決するための手段】
【０００８】
上記のような課題を解決するために、本発明は、バスローブ本体と頭を覆うためのフードを有している乳幼児用バスローブであって、バスローブ本体と連続して設けられた頭を覆うためのフード部分の間に少なくともバスローブ本体の前身ごろ部分には縫合部がないことを特徴とするバスローブとすることにより頭を覆うためのフード部分を乳幼児の頭部にかぶせた時、乳幼児が頭や手足をバタつかせて捻転運動等しても顔や顎や頸や胸部等の肌が擦れて肌荒れや傷を負わす危険性がない乳幼児用バスローブを構成している。
【発明の効果】
【０００９】
以上の説明から明らかなように、本発明にあっては次に列挙する効果が得られる。
バスローブ本体と頭を覆うためのフードを有している乳幼児用バスローブであって、バスローブ本体と連続して設けられた頭を覆うためのフード部分の間に少なくともバスローブ本体の前身ごろ部分には縫合部がない乳幼児用バスローブとで構成されているので、頭を覆うためのフード部分を乳幼児の頭部にかぶせた状態の時乳幼児が頭や手足をバタつかせて捻転運動したり走り回ったりしても、バスローブ本体と頭を覆うためのフードの縫合部による縫い込み部分の布地の厚みによる凸凹の段差や、バスローブの本体部と乳幼児の頭部を拭くことができる布を容易に着脱可能とする接合具により乳幼児の顔や顎や頸や胸部等に触れ肌が擦れることにより肌荒れや傷を負わす危険性が大幅に減少することができる。
【００１０】
前記（１）によって頭を覆うためのフード部分を乳幼児の頭部にかぶせた状態の時、乳幼児が頭や手足をバタつかせて捻転運動したり走り回ったりしても、バスローブ本体と頭を覆うためのフードの縫合部による縫い込み部分の布地の厚みによる凸凹の段差や、バスローブの本体部と乳幼児の頭部を拭くことができる布を容易に着脱可能とする接合具が、乳幼児の顔や顎や頸や胸部等に触れ肌が擦れることにより肌荒れや傷を負わす危険性が大幅に減少するため保護者は安心して使うことができる。
【発明を実施するための最良の形態】
【００１１】
添付図面に基づき本発明を実施するための最良の形態について説明するが、本発明は以下の形態にのみ限定されないことはいうまでもない。
【００１２】
図１の乳幼児用バスローブは左右を前で合わせて着せる布製品である。図中１は、頭を覆うためのフード１である。図中２は、左右から交互に体の側面と前面を覆うことで前肩と胸とお腹と足をくるみその端部が脇下近くになる、カーブを描く形をした左右を形成している前身ごろ２であり、図７に示すように、フード１と前身ごろ２は縫合部がない連続したものである。図中３は、フード１の後方と前身ごろ２の肩と横とを連続し背中から足の後ろを覆うことのできる中心を形成する、後身ごろ３である。図中４は、腕を入れるための袖を形成する、袖４である。図中９は、前身ごろ２と後身ごろ３の横を縫合してできた脇線９である。図中１０は、腕を入れるために袖４を筒状に縫合してできた袖下線１０である。図中１１は、前身ごろ２と後身ごろ３の肩を縫合してできた肩線１１である。図中１２は、後身ごろ３の裾部、後裾１２である。
【００１３】
一般に、肩の縫合部の位置は、脇線９と袖下線１０を案内に折り山として折り、平らな所で左右の前身ごろ２を前で重ねバスローブ本体のしわを伸ばし広げた時、肩の位置で折り曲がっている尾根に、肩線１１がくる事が多い。
本発明の乳幼児用バスローブの肩線１１は、肩の尾根よりも２ｃｍ以上前身ごろ２側にあるのが好ましい。これにより、バスローブ本体を広げ前身ごろ２を左右に開けた状態の上に乳児または幼児を寝かせ時、肩線１１の縫合部によって肌が触れて擦れることによる肌荒れや傷をする危険性が少なく安全なものであり、保護者は乳幼児の肌荒れや傷を負わす危険性が少なく安心して使用できる。
【００１４】
図５に示すように、後裾１２に足の後ろを覆ってさらに下で折り返し足の前とお腹を覆うことのできる長さと幅をもった足くるみタオル１３を付けるのが好ましい。図６に示すように、本発明の乳幼児用バスローブと足くるみタオル１３は、着脱可能な接合具によって付けることができる。これにより、乳幼児の足の指や下半身に付いた水分を除去し、体の冷えるのを防ぐことができる。
足くるみタオル１３は、吸水性のあるもの、例えばタオル地等を用いるのが好ましい。また、形状は正方形とするのが好ましいが、丸みを帯びたものや多角形状等様々な形状とすることができる。上記着脱可能な接合具は、着用した時直接肌に触れる側を裏側とするならば、後裾１２と足くるみタオル１３の縁辺付近とを容易に着脱可能とする接合具を後ろ身頃の表側に付けるのが好ましい。取り付け手段はホックでもよいし、ボタンとボタン穴もしくは輪状になった紐等や面ファスナーを用いることもできる。
【００１５】
図１は、乳幼児用バスローブの構成を示す正面の概略図であり、図２は、乳幼児用バスローブの構成を示す背面の概略図である。
このバスローブはタオル地でできており、頭を覆うためのフード１と、前で合わせた左右を形成する布部の前身ごろ２と、背中から足の後ろを覆う布部の後身ごろ３と、腕を入れるための袖を形成する布部の袖４とを有する。頭を覆うためのフード１と前身ごろ２の間には縫合部がない構成である。
【００１６】
図２は本発明のフード付きバスローブの背面を表す図面である。図中５は左右を縫合してできたフード縫合線5であり、図中６は、フード1の後方と後身ごろ3の襟ぐりを縫合してできた後襟ぐり線6である。
フードの縫合位置はフードの中心でも良いが、中心部に位置している場合は頭が縫合部によって擦れることによる肌荒れや傷をする危険性がある。従って、中心部からずれていることが好ましい。例えば図８に示すような縫合線が２線存在して、該縫合線の位置がフード中心位置から大きくずれていることがより好ましい。また、多角形状の布を縫合することもできる。
【００１７】
前身ごろ２は、左右から交互に体の側面と前面を覆うことで胸とお腹と足をくるみ、内脇ひも７は、前身ごろ２の内側になる端部と内側の脇付近に互いを結びつけるための内側のひもである。外脇ひも８は、前身ごろ２の外側になる端部と外側の脇付近に互いを結びつけるための外側のひもである。
【００１８】
このような乳幼児用バスローブを着せるときは、図４に示すように寝具の上等の平らな所に置き、前身ごろ２を左右に開けた状態とし、頭を覆うためのフード１は、後襟ぐり線６の上部、すなわち頭部の位置に、頭を覆うためのフード１の内側が見えるように広げておく。
乳児または幼児をこの上に寝かせ、左右の袖４に腕を通し、図３に示すように、内側になる前身ごろ２で乳幼児をくるみ、内脇ひも７を結ぶ。この時、乳幼児の胸に合わせて内脇ひも７の長さを調節する。つぎに、図１に示すように、外側になる前身ごろ２で乳幼児をくるみ、外脇ひも８を結ぶ。この時もやはり、乳幼児の胸に合わせて外脇ひも８の長さを調節する。
頭部の下には頭を覆うためのフード１があるのでそのままの状態で濡れた頭髪を拭くことができる。
また、乳幼児を抱き上げた状態や、歩行が可能な幼児等に着せた後でも、バスローブ本体部に連続して設けられた頭を覆うためのフード１を、頭部にかぶせるだけで、さらに入念に頭髪を拭くことも究めて簡単に行なうことができる。
また、乳幼児を抱き上げた状態や、歩行が可能な幼児等に着せた後でも、バスローブ本体部に連続して設けられた頭を覆うためのフード１を、頭部にかぶせることで乳幼児の頭部に残留した水分で冷やさないように保護することができる。
【００１９】
上記バスローブの本体部は、袖の有無、袖丈、丈、前身ごろの合わせの形状等は任意のデザインとすることができる。
本発明の乳幼児用バスローブは吸水性・速乾性のあるもの、例えばタオル地等を用いるのが好ましいが、天然繊維も好ましく、中でも獣毛・絹が好ましいが適宜選択することができる。
【実施例１】
【００２０】
バスローブ本体や足くるみタオル１３の生地を、吸水性のある天然繊維のタオル地で作った。このバスローブの前身ごろ２とフード１の間には縫合部がなく、肩線１１は前身ごろ２側へずらし、フード縫合線５は縫合線が２線存在して、該縫合線の位置がフード中心位置から大きくずれている本発明のバスローブを広げた上に乳幼児を寝かせ着せたところ、縫合部の段差が頭部に当たることも無く、縫合部による肌荒れや傷から守ることが出来たので、安心して保護者は使用できる乳幼児用バスローブであることがわかった。着脱可能な後裾１２に足くるみタオル１３を付けることで、乳幼児の足の指や下半身に付いた水分を除去し、体の冷えるのを防ぐことができた。
バスローブ本体や足くるみタオル１３の生地は、吸水性・速乾性のある天然繊維のタオル地が良い。
【産業上の利用可能性】
【００２１】
本発明の乳幼児用バスローブは、縫合による縫合部や接合具によって乳幼児のデリケートな肌が触れて擦れることによる肌荒れや傷をする危険性が大幅に減少することができる安全なものであり、乳幼児の肌荒れや傷を負わす危険性が大幅に減少するため保護者は安心して使用できる乳幼児用バスローブである。
バスローブ本体と連続して設けられた頭を覆うためのフード部分の間に少なくともバスローブ本体の前身ごろ部分には縫合部がないので、安全に安心して利用できる乳幼児用バスローブである。
【図面の簡単な説明】
【００２２】
【図１】外脇ひもを結び前締ひもを結んだ状態の乳幼児用バスローブの正面をあらわす説明図。
【図２】外脇ひもを結び前締ひもを結んだ状態の乳幼児用バスローブの背面をあらわす説明図。
【図３】内脇ひもを結んだ状態の乳幼児用バスローブの正面をあらわす説明図。
【図４】広げた状態の乳幼児用バスローブの正面をあらわす説明図。
【図５】足くるみタオルの概略図。
【図６】乳幼児用バスローブの後裾に着脱可能な足くるみタオルを装着した状態の正面をあらわす説明図。
【図７】頭を覆うためのフードと前身ごろの間に縫合部分のないことをあらわす説明図。
【図８】フードの縫合線を２線としたときの外脇ひもを結び前締ひもを結んだ状態の乳幼児用バスローブの背面をあらわす説明図。
【符号の説明】
【００２３】
１  フード
２  前身ごろ
３  後身ごろ
４  袖
５  フード縫合線
６  後襟ぐり線
７  内脇ひも
８  外脇ひも
９  脇線
１０袖下線
１１肩線
１２後裾
１３足くるみタオル
【図１】
2007224445.tif 000003
【図２】
2007224445.tif 000004
【図３】
2007224445.tif 000005
【図４】
2007224445.tif 000006
【図５】
2007224445.tif 000007
【図６】
2007224445.tif 000008
【図７】
2007224445.tif 000009
【図８】
2007224445.tif 000010
【手続補正書】
【提出日】平成18年8月3日(2006.8.3)
【手続補正１】
【補正対象書類名】特許請求の範囲
【補正対象項目名】全文
【補正方法】変更
【補正の内容】
【特許請求の範囲】
【請求項１】
バスローブ本体と頭を覆うためのフードを有している乳幼児用バスローブであって、左右前身ごろとフードの相対する左右の部分は一枚の布からなっていて、肩線の位置は、肩の尾根よりも前身ごろの下方側にあることを特徴とする立体性に優れた乳幼児用バスローブ。
【手続補正２】
【補正対象書類名】明細書
【補正対象項目名】全文
【補正方法】変更
【補正の内容】
【発明の詳細な説明】
【技術分野】
【０００１】
本発明は、乳幼児用バスローブに関し、特に頭髪に付いた水分の除去、頭部を冷やさないように保護できるバスローブ、あるいは上記機能を同様に果たすことのできる頭を覆うためのフード等が設けられた乳幼児用バスローブに関する。
【背景技術】
【０００２】
一般に、乳幼児用バスローブはタオル地等の吸水性・保温性のある布地からできたものであり、入浴や水遊びをした後に着る衣料として、乳幼児の体に付いた水分を除去し、体の冷えるのを防ぐものである。また、頭部にかぶせることですみやかに乳幼児の頭髪に付いた水分の除去や頭部に残留した水分で冷やさないように保護する役割を果たすことのできるバスローブ本体に縫合により連続して設けられた頭を覆うためのフードがあった。
【０００３】
前記の頭を覆うためのフードを頭部に被せると、バスローブ本体と頭を覆うためのフードの縫合部による縫い込み部分が直接、乳幼児の顔や胴部等に触れる度に肌が擦れて肌荒れをおこす原因の一つになっていたことを防止する目的で、肌の弱い乳幼児用バスローブとして、縫い込み部分が直接、肌に触れないように縫合部の縫い込み部分を別布で包んだもの、あるいは縫合部による縫い込み部分を肌が直接触れない表側にしたものが市販されている。
【０００４】
しかしながら、上記乳幼児用バスローブに適しているタオル地等の吸水性・保温性のある布地は厚地であり、バスローブ本体に縫合により連続して設けられた頭を覆うためのフードの縫合部による縫い込み部分を別布で包む方法、あるいは縫合部による縫い込み部分を表側にする方法いずれの場合も布地の厚みにより凸凹の段差ができるため、乳幼児の肌が擦れて肌荒れをおこす危険性からは解消されなかった。
【０００５】
特許文献１に開示された乳幼児用バスローブによれば、バスローブの本体部の襟ぐりの後部付近と乳幼児の頭部を拭くことができる布の縁辺付近とを着脱可能な接合具を備えるものだが、乳幼児の頭髪を拭く際、前記接合具により乳幼児の肌が擦れて肌荒れをおこす原因の一つであり場合によっては乳幼児の頭部や胴部等に傷を負わす危険性あるいは乳幼児が肌荒れや傷を負わせないように保護者が注意をする必要があった。
【特許文献１】実用新案登録第２０８６７０６号公報
【発明の開示】
【発明が解決しようとする課題】
【０００６】
一般に、乳児期体型は頸部がきわめて短く、顎と胸部が近いため二重顎になるなどの特性があり、乳児期動作は手足をバタつかせて喜び捻転運動などをする特性がある。乳児や幼児の顔や顎や頸や胸部等の肌はデリケートであり乳児期体型や動作の特性をふまえると、縫合部による縫い込み部分の布地の厚みによる凸凹の段差や着脱可能とする接合具によって乳幼児の肌が擦れて肌荒れや傷を負わす危険性が高かった。
【０００７】
本発明は、以上のような従来の欠点に鑑み、バスローブ本体と頭を覆うためのフードの縫合部による縫い込み部分の布地の厚みによる凸凹の段差や、バスローブの本体と乳幼児の頭部を拭くことができる布を容易に着脱可能とする接合具によって乳幼児の顔や顎や頸や胸部等の肌が擦れて肌荒れや傷を負わす危険性のない安全で安心に残留した水分を吸い取り、体を冷やすことなく保温性の良好な、かつ体を乾燥させることができる乳幼児用バスローブを提供する事を目的としている。
【課題を解決するための手段】
【０００８】
上記のような課題を解決するために、本発明は、バスローブ本体と頭を覆うためのフードを有している乳幼児用バスローブであって、左右前身ごろとフードの相対する左右の部分は一枚の布からなっていて、肩線の位置は、肩の尾根よりも前身ごろの下方側にあることを特徴とする立体性に優れたバスローブとすることにより頭を覆うためのフード部分を乳幼児の頭部にかぶせた時、乳幼児が頭や手足をバタつかせて捻転運動等しても顔や顎や頸や胸部等の肌が擦れて肌荒れや傷を負わす危険性がない乳幼児用バスローブを構成している。
【発明の効果】
【０００９】
以上の説明から明らかなように、本発明にあっては次に列挙する効果が得られる。
バスローブ本体と頭を覆うためのフードを有している乳幼児用バスローブであって、左右前身ごろとフードの相対する左右の部分は一枚の布からなっていて、肩線の位置は、肩の尾根よりも前身ごろの下方側にある乳幼児用バスローブは立体性に優れた構成であるので、頭を覆うためのフード部分を乳幼児の頭部にかぶせた状態の時、乳幼児が頭や手足をバタつかせて捻転運動したり走り回ったりしても、バスローブ本体と頭を覆うためのフードの縫合部による縫い込み部分の布地の厚みによる凸凹の段差や、バスローブの本体部と乳幼児の頭部を拭くことができる布を容易に着脱可能とする接合具により乳幼児の顔や顎や頸や胸部等に触れ肌が擦れることにより肌荒れや傷を負わす危険性が大幅に減少することができる。
【００１０】
前記（１）によって頭を覆うためのフード部分を乳幼児の頭部にかぶせた状態の時、乳幼児が頭や手足をバタつかせて捻転運動したり走り回ったりしても、バスローブ本体と頭を覆うためのフードの縫合部による縫い込み部分の布地の厚みによる凸凹の段差や、バスローブの本体部と乳幼児の頭部を拭くことができる布を容易に着脱可能とする接合具が、乳幼児の顔や顎や頸や胸部等に触れ肌が擦れることにより肌荒れや傷を負わす危険性が大幅に減少し、残留した水分を吸い取り、体を冷やすことなく保温性の良好な、かつ体を乾燥させることができるため保護者は安心して使うことができる。
【発明を実施するための最良の形態】
【００１１】
添付図面に基づき本発明を実施するための最良の形態について説明するが、本発明は以下の形態にのみ限定されないことはいうまでもない。
【００１２】
図１の乳幼児用バスローブは左右を前で合わせて着せる布製品である。
図中１は、頭を覆うためのフード１である。図中２は、左右から交互に体の側面と前面を覆うことで前肩と胸とお腹と足をくるみその端部が脇下近くになる、カーブを描く形をした左右を形成している前身ごろ２である。
図中３は、フード１の後方と前身ごろ２の肩と横とを連続し背中から足の後ろを覆うことのできる中心を形成する、後身ごろ３である。図中４は、腕を入れるための袖を形成する、袖４である。図中９は、前身ごろ２と後身ごろ３の横を縫合してできた脇線９である。
図中１０は、腕を入れるために袖４を筒状に縫合してできた袖下線１０である。
図中１１は、前身ごろ２と後身ごろ３の肩を縫合してできた肩線１１である。
図中１２は、後身ごろ３の裾部、後裾１２である。
【００１３】
図１は、乳幼児用バスローブの構成を示す正面の概略図であり、図２は、乳幼児用バスローブの構成を示す背面の概略図である。
このバスローブはタオル地でできており、頭を覆うためのフード１と、前で合わせた左右を形成する布部の前身ごろ２と、背中から足の後ろを覆う布部の後身ごろ３と、腕を入れるための袖を形成する布部の袖４とを有する。頭を覆うためのフード１と前身ごろ２の間には縫合部がない構成である。
【００１４】
図７に示すように、フード１と前身ごろ２は縫合部がなく一枚の布からなっているものである。
【００１５】
図２は本発明のフード付きバスローブの背面を表す図面である。図中５は左右を縫合してできたフード縫合線5であり、図中６は、フード1の後方と後身ごろ3の襟ぐりを縫合してできた後襟ぐり線6である。
フードの縫合位置はフードの中心でも良いが、中心部に位置している場合は頭が縫合部によって擦れることによる肌荒れや傷をする危険性がある。従って、中心部からずれていることが好ましい。例えば図８に示すような縫合線が２線存在して、該縫合線の位置がフード中心位置から大きくずれていることがより好ましい。また、多角形状の布を縫合することもできる。
【００１６】
一般に、肩の縫合部の位置は、脇線９と袖下線１０を案内に折り山として折り、平らな所で左右の前身ごろ２を前で重ねバスローブ本体のしわを伸ばし広げた時、肩の位置で折り曲がっている尾根に、肩線１１がくる事が多い。
本発明の乳幼児用バスローブの肩線１１は、肩の尾根よりも２ｃｍ以上前身ごろ２側にあるのが好ましい。これにより、バスローブ本体を広げ前身ごろ２を左右に開けた状態の上に乳児または幼児を寝かせ時、肩線１１の縫合部によって肌が触れて擦れることによる肌荒れや傷をする危険性が少なく安全なものであり、保護者は乳幼児の肌荒れや傷を負わす危険性が少なく安心して使用できる。
【００１７】
本発明のフード付きバスローブを構成するには、前身ごろ２の肩と後身ごろ３の肩を縫合することでできた肩線の位置は肩の尾根よりも前身ごろの下方側にある肩線１１と、フード1の後方と後身ごろ3の襟ぐりを縫合してできた、後襟ぐり線6でなる。
フード1は、前身ごろ２との間に縫合部なく一枚の布からなっているため後身ごろ3の襟ぐりに縫合するには、フード1を後方へ捻じり倒して縫合する。これにより、フード１の前方から前身ごろ２に掛けて立体的な空間ができる。
すなわち、手足をバタつかせて喜び捻転運動する乳幼児の頭にフード１を被せても、デリケートな頬・顎・頸等の肌辺りに付かず離れず、ある一定の立体的な丸みのある空間ができるので、擦れて肌荒れや傷を負わす危険性が無く、丸みのあるバスローブなので肌蹴ることも無い体を冷やさず保温性の良好な、かつ体を乾燥させることができるバスローブである。
【００１８】
図５に示すように、後裾１２に足の後ろを覆ってさらに下で折り返し足の前とお腹を覆うことのできる長さと幅をもった足くるみタオル１３を付けるのが好ましい。図６に示すように、本発明の乳幼児用バスローブと足くるみタオル１３は、着脱可能な接合具によって付けることができる。これにより、乳幼児の足の指や下半身に付いた水分を除去し、体の冷えるのを防ぐことができる。
足くるみタオル１３は、吸水性のあるもの、例えばタオル地等を用いるのが好ましい。また、形状は正方形とするのが好ましいが、丸みを帯びたものや多角形状等様々な形状とすることができる。上記着脱可能な接合具は、着用した時直接肌に触れる側を裏側とするならば、後裾１２と足くるみタオル１３の縁辺付近とを容易に着脱可能とする接合具を後ろ身頃の表側に付けるのが好ましい。取り付け手段はホックでもよいし、ボタンとボタン穴もしくは輪状になった紐等や面ファスナーを用いることもできる。
【００１９】
前身ごろ２は、左右から交互に体の側面と前面を覆うことで胸とお腹と足をくるみ、内脇ひも７は、前身ごろ２の内側になる端部と内側の脇付近に互いを結びつけるための内側のひもである。外脇ひも８は、前身ごろ２の外側になる端部と外側の脇付近に互いを結びつけるための外側のひもである。
【００２０】
このような乳幼児用バスローブを着せるときは、図４に示すように寝具の上等の平らな所に置き、前身ごろ２を左右に開けた状態とし、頭を覆うためのフード１は、後襟ぐり線６の上部、すなわち頭部の位置に、頭を覆うためのフード１の内側が見えるように広げておく。乳児または幼児をこの上に寝かせ、左右の袖４に腕を通し、図３に示すように、内側になる前身ごろ２で乳幼児をくるみ、内脇ひも７を結ぶ。この時、乳幼児の胸に合わせて内脇ひも７の長さを調節する。つぎに、図１に示すように、外側になる前身ごろ２で乳幼児をくるみ、外脇ひも８を結ぶ。この時もやはり、乳幼児の胸に合わせて外脇ひも８の長さを調節する。
頭部の下には頭を覆うた  めのフード１があるのでそのままの状態で濡れた頭髪を拭くことができる。
また、乳幼児を抱き上げた状態や、歩行が可能な幼児等に着せた後でも、バスローブ本体部に連続して設けられた頭を覆うためのフード１を、頭部にかぶせるだけで、さらに入念に頭髪を拭くことも究めて簡単に行なうことができる。
また、乳幼児を抱き上げた状態や、歩行が可能な幼児等に着せた後でも、バスローブ本体部に連続して設けられた頭を覆うためのフード１を、頭部にかぶせることで乳幼児の頭部に残留した水分で冷やさないように保護することができる。
【００２１】
上記バスローブの本体部は、袖の有無、袖丈、丈、前身ごろの合わせの形状等は任意のデザインとすることができる。
本発明の乳幼児用バスローブは吸水性・速乾性のあるもの、例えばタオル地等を用いるのが好ましいが、天然繊維も好ましく、中でも獣毛・絹が好ましいが適宜選択することができる。
【実施例１】
【００２２】
フード１と前身ごろ２は縫合部がなく一枚の布であり、前身ごろ２の肩と後身ごろ３の肩を縫合することでできた肩線の位置は、肩の尾根よりも前身ごろの下方側にある肩線１１と、フード1の後方と後身ごろ3の襟ぐりを縫合してできた、後襟ぐり線6である本発明を、乳幼児に着させフードを被せた時、頬・顎・頸の辺りに付かず離れずほど良い空間ができるため、縫合部や接合具によって乳幼児のデリケートな肌が触れて擦れることによる肌荒れや傷をする危険性が無く、保護者は乳幼児の体を冷やさず保温性の良好な、かつ体を乾燥させることができるので安心して使用することができる。
バスローブ本体や足くるみタオル１３の生地を、吸水性のある天然繊維のタオル地で作った。このバスローブの前身ごろ２とフード１の間には縫合部がなく、肩線１１は前身ごろ２側へずらし、フード縫合線５は縫合線が２線存在して、該縫合線の位置がフード中心位置から大きくずれている本発明のバスローブを広げた上に乳幼児を寝かせ着せたところ、縫合部の段差が頭部に当たることも無く、縫合部による肌荒れや傷から守ることが出来たので、安心して保護者は使用できる乳幼児用バスローブであることがわかった。着脱可能な後裾１２に足くるみタオル１３を付けることで、乳幼児の足の指や下半身に付いた水分を除去し、体の冷えるのを防ぐことができた。
バスローブ本体や足くるみタオル１３の生地は、吸水性・速乾性のある天然繊維のタオル地が良い。
【産業上の利用可能性】
【００２３】
本発明の乳幼児用バスローブは、縫合による縫合部や接合具によって乳幼児のデリケートな肌が触れて擦れることによる肌荒れや傷をする危険性が大幅に減少することができる安全なものであり、乳幼児の肌荒れや傷を負わす危険性が大幅に減少するため保護者は安心して使用できる乳幼児用バスローブである。
バスローブ本体と連続して設けられた頭を覆うためのフード部分の間に少なくともバスローブ本体の前身ごろ部分には縫合部がないので、安全に安心して利用できる乳幼児用バスローブである。
【図面の簡単な説明】
【００２４】
【図１】外脇ひもを結び前締ひもを結んだ状態の乳幼児用バスローブの正面をあらわす説明図。
【図２】外脇ひもを結び前締ひもを結んだ状態の乳幼児用バスローブの背面をあらわす説明図。
【図３】内脇ひもを結んだ状態の乳幼児用バスローブの正面をあらわす説明図。
【図４】広げた状態の乳幼児用バスローブの正面をあらわす説明図。
【図５】足くるみタオルの概略図。
【図６】乳幼児用バスローブの後裾に着脱可能な足くるみタオルを装着した状態の正面をあらわす説明図。
【図７】頭を覆うためのフードと前身ごろの間に縫合部分のないことをあらわす説明図。
【図８】フードの縫合線を２線としたときの外脇ひもを結び前締ひもを結んだ状態の乳幼児用バスローブの背面をあらわす説明図。
【符号の説明】
【００２５】
１  フード
２  前身ごろ
３  後身ごろ
４  袖
５  フード縫合線
６  後襟ぐり線
７  内脇ひも
８  外脇ひも
９  脇線
１０袖下線
１１肩線
１２後裾
１３足くるみタオル
【手続補正書】
【提出日】平成18年11月16日(2006.11.16)
【手続補正１】
【補正対象書類名】特許請求の範囲
【補正対象項目名】全文
【補正方法】変更
【補正の内容】
【特許請求の範囲】
【請求項１】
バスローブ本体と頭を覆うためのフードを有している乳幼児用バスローブであって、左右前身ごろとフードの相対する左右の部分はそれぞれ一枚の布からなっていて、肩線の位置は、肩の尾根よりも前身ごろの下方側にあることを特徴とする立体性に優れた乳幼児用バスローブ。
【手続補正２】
【補正対象書類名】明細書
【補正対象項目名】全文
【補正方法】変更
【補正の内容】
【発明の詳細な説明】
【技術分野】
【０００１】
本発明は、乳幼児用バスローブに関し、特に頭髪に付いた水分の除去、頭部を冷やさないように保護できるバスローブ、あるいは上記機能を同様に果たすことのできる頭を覆うためのフード等が設けられた乳幼児用バスローブに関する。
【背景技術】
【０００２】
一般に、乳幼児用バスローブはタオル地等の吸水性・保温性のある布地からできたものであり、入浴や水遊びをした後に着る衣料として、乳幼児の体に付いた水分を除去し、体の冷えるのを防ぐものである。また、頭部にかぶせることですみやかに乳幼児の頭髪に付いた水分の除去や頭部に残留した水分で冷やさないように保護する役割を果たすことのできるバスローブ本体に縫合により連続して設けられた頭を覆うためのフードがあった。
【０００３】
前記の頭を覆うためのフードを頭部に被せると、バスローブ本体と頭を覆うためのフードの縫合部による縫い込み部分が直接、乳幼児の顔や胴部等に触れる度に肌が擦れて肌荒れをおこす原因の一つになっていたことを防止する目的で、肌の弱い乳幼児用バスローブとして、縫い込み部分が直接、肌に触れないように縫合部の縫い込み部分を別布で包んだもの、あるいは縫合部による縫い込み部分を肌が直接触れない表側にしたものが市販されている。
【０００４】
しかしながら、上記乳幼児用バスローブに適しているタオル地等の吸水性・保温性のある布地は厚地であり、バスローブ本体に縫合により連続して設けられた頭を覆うためのフードの縫合部による縫い込み部分を別布で包む方法、あるいは縫合部による縫い込み部分を表側にする方法いずれの場合も布地の厚みにより凸凹の段差ができるため、乳幼児の肌が擦れて肌荒れをおこす危険性からは解消されなかった。
【０００５】
特許文献１に開示された乳幼児用バスローブによれば、バスローブの本体部の襟ぐりの後部付近と乳幼児の頭部を拭くことができる布の縁辺付近とを着脱可能な接合具を備えるものだが、乳幼児の頭髪を拭く際、前記接合具により乳幼児の肌が擦れて肌荒れをおこす原因の一つであり場合によっては乳幼児の頭部や胴部等に傷を負わす危険性あるいは乳幼児が肌荒れや傷を負わせないように保護者が注意をする必要があった。
【特許文献１】実用新案登録第２０８６７０６号公報
【発明の開示】
【発明が解決しようとする課題】
【０００６】
一般に、乳児期体型は頸部がきわめて短く、顎と胸部が近いため二重顎になるなどの特性があり、乳児期動作は手足をバタつかせて喜び捻転運動などをする特性がある。乳児や幼児の顔や顎や頸や胸部等の肌はデリケートであり乳児期体型や動作の特性をふまえると、縫合部による縫い込み部分の布地の厚みによる凸凹の段差や着脱可能とする接合具によって乳幼児の肌が擦れて肌荒れや傷を負わす危険性が高かった。
【０００７】
本発明は、以上のような従来の欠点に鑑み、バスローブ本体と頭を覆うためのフードの縫合部による縫い込み部分の布地の厚みによる凸凹の段差や、バスローブの本体と乳幼児の頭部を拭くことができる布を容易に着脱可能とする接合具によって乳幼児の顔や顎や頸や胸部等の肌が擦れて肌荒れや傷を負わす危険性のない安全で安心に残留した水分を吸い取り、体を冷やすことなく保温性の良好な、かつ体を乾燥させることができる乳幼児用バスローブを提供する事を目的としている。
【課題を解決するための手段】
【０００８】
上記のような課題を解決するために、本発明は、バスローブ本体と頭を覆うためのフードを有している乳幼児用バスローブであって、左右前身ごろとフードの相対する左右の部分はそれぞれ一枚の布からなっていて、肩線の位置は、肩の尾根よりも前身ごろの下方側にあることを特徴とする立体性に優れたバスローブとすることにより頭を覆うためのフード部分を乳幼児の頭部にかぶせた時、乳幼児が頭や手足をバタつかせて捻転運動等しても顔や顎や頸や胸部等の肌が擦れて肌荒れや傷を負わす危険性がない乳幼児用バスローブを構成している。
【発明の効果】
【０００９】
以上の説明から明らかなように、本発明にあっては次に列挙する効果が得られる。
（１）バスローブ本体と頭を覆うためのフードを有している乳幼児用バスローブであって、左右前身ごろとフードの相対する左右の部分はそれぞれ一枚の布からなっていて、肩線の位置は、肩の尾根よりも前身ごろの下方側にある乳幼児用バスローブは立体性に優れた構成であるので、頭を覆うためのフード部分を乳幼児の頭部にかぶせた状態の時、乳幼児が頭や手足をバタつかせて捻転運動したり走り回ったりしても、バスローブ本体と頭を覆うためのフードの縫合部による縫い込み部分の布地の厚みによる凸凹の段差や、バスローブの本体部と乳幼児の頭部を拭くことができる布を容易に着脱可能とする接合具により乳幼児の顔や顎や頸や胸部等に触れ肌が擦れることにより肌荒れや傷を負わす危険性が大幅に減少することができる。
【００１０】
（２）前記（１）によって頭を覆うためのフード部分を乳幼児の頭部にかぶせた状態の時、乳幼児が頭や手足をバタつかせて捻転運動したり走り回ったりしても、バスローブ本体と頭を覆うためのフードの縫合部による縫い込み部分の布地の厚みによる凸凹の段差や、バスローブの本体部と乳幼児の頭部を拭くことができる布を容易に着脱可能とする接合具が、乳幼児の顔や顎や頸や胸部等に触れ肌が擦れることにより肌荒れや傷を負わす危険性が大幅に減少し、残留した水分を吸い取り、体を冷やすことなく保温性の良好な、かつ体を乾燥させることができるため保護者は安心して使うことができる。
【発明を実施するための最良の形態】
【００１１】
添付図面に基づき本発明を実施するための最良の形態について説明するが、本発明は以下の形態にのみ限定されないことはいうまでもない。
【００１２】
図１の乳幼児用バスローブは左右を前で合わせて着せる布製品である。
図中１は、頭を覆うためのフード１である。図中２は、左右から交互に体の側面と前面を覆うことで前肩と胸とお腹と足をくるみその端部が脇下近くになる、カーブを描く形をした左右を形成している前身ごろ２である。
図中３は、フード１の後方と前身ごろ２の肩と横とを連続し背中から足の後ろを覆うことのできる中心を形成する、後身ごろ３である。図中４は、腕を入れるための袖を形成する、袖４である。図中９は、前身ごろ２と後身ごろ３の横を縫合してできた脇線９である。
図中１０は、腕を入れるために袖４を筒状に縫合してできた袖下線１０である。
図中１１は、前身ごろ２と後身ごろ３の肩を縫合してできた肩線１１である。
図中１２は、後身ごろ３の裾部、後裾１２である。
【００１３】
図１は、乳幼児用バスローブの構成を示す正面の概略図であり、図２は、乳幼児用バスローブの構成を示す背面の概略図である。
このバスローブはタオル地でできており、頭を覆うためのフード１と、前で合わせた左右を形成する布部の前身ごろ２と、背中から足の後ろを覆う布部の後身ごろ３と、腕を入れるための袖を形成する布部の袖４とを有する。頭を覆うためのフード１と前身ごろ２の間には縫合部がない構成である。
【００１４】
図７に示すように、フード１と前身ごろ２は縫合部がなく一枚の布からなっている形にする為には、前身ごろ２と後身ごろ３の肩を縫合してできた肩線１１を肩の尾根よりも前身ごろ２の下方側にずらすことによって、達成できたものである。このことによって乳児または幼児を寝かせ着せた時、肩線１１の縫合部によって肌が触れて擦れることによる肌荒れや傷をする危険性が少なく安全なものであり、保護者は乳幼児の肌荒れや傷を負わす危険性が少なく安心して使用できるのである。
【００１５】
図２は本発明のフード付きバスローブの背面を表す図面である。図中５は左右を縫合してできたフード縫合線5であり、図中６は、フード1の後方と後身ごろ3の襟ぐりを縫合してできた後襟ぐり線6である。
フードの縫合位置はフードの中心でも良いが、中心部に位置している場合は頭が縫合部によって擦れることによる肌荒れや傷をする危険性がある。従って、中心部からずれていることが好ましい。例えば図８に示すような縫合線が２線存在して、該縫合線の位置がフード中心位置から大きくずれていることがより好ましい。また、多角形状の布を縫合することもできる。
【００１６】
一般に、肩の縫合部の位置は、脇線９と袖下線１０を案内に折り山として折り、平らな所で左右の前身ごろ２を前で重ねバスローブ本体のしわを伸ばし広げた時、肩の位置で折り曲がっている尾根に、肩線１１がくる事が多い。
本発明の乳幼児用バスローブの肩線１１は、肩の尾根よりも２ｃｍ以上前身ごろ２側にあるのが好ましい。これにより、バスローブ本体を広げ前身ごろ２を左右に開けた状態の上に乳児または幼児を寝かせ時、肩線１１の縫合部によって肌が触れて擦れることによる肌荒れや傷をする危険性が少なく安全なものであり、保護者は乳幼児の肌荒れや傷を負わす危険性が少なく安心して使用できる。
【００１７】
本発明のフード付きバスローブを構成するには、前身ごろ２の肩と後身ごろ３の肩を縫合することでできた肩線の位置は肩の尾根よりも前身ごろの下方側にある肩線１１と、フード1の後方と後身ごろ3の襟ぐりを縫合してできた、後襟ぐり線6でなる。
フード1は、前身ごろ２との間に縫合部なく一枚の布からなっているため後身ごろ3の襟ぐりに縫合するには、フード1を後方へ捻じり倒して縫合する。これにより、フード１の前方から前身ごろ２に掛けて立体的な空間ができる。
すなわち、手足をバタつかせて喜び捻転運動する乳幼児の頭にフード１を被せても、デリケートな頬・顎・頸等の肌辺りに付かず離れず、ある一定の立体的な丸みのある空間ができるので、擦れて肌荒れや傷を負わす危険性が無く、丸みのあるバスローブなので肌蹴ることも無い体を冷やさず保温性の良好な、かつ体を乾燥させることができるバスローブである。
【００１８】
図５に示すように、後裾１２に足の後ろを覆ってさらに下で折り返し足の前とお腹を覆うことのできる長さと幅をもった足くるみタオル１３を付けるのが好ましい。図６に示すように、本発明の乳幼児用バスローブと足くるみタオル１３は、着脱可能な接合具によって付けることができる。これにより、乳幼児の足の指や下半身に付いた水分を除去し、体の冷えるのを防ぐことができる。
足くるみタオル１３は、吸水性のあるもの、例えばタオル地等を用いるのが好ましい。また、形状は正方形とするのが好ましいが、丸みを帯びたものや多角形状等様々な形状とすることができる。上記着脱可能な接合具は、着用した時直接肌に触れる側を裏側とするならば、後裾１２と足くるみタオル１３の縁辺付近とを容易に着脱可能とする接合具を後ろ身頃の表側に付けるのが好ましい。取り付け手段はホックでもよいし、ボタンとボタン穴もしくは輪状になった紐等や面ファスナーを用いることもできる。
【００１９】
前身ごろ２は、左右から交互に体の側面と前面を覆うことで胸とお腹と足をくるみ、内脇ひも７は、前身ごろ２の内側になる端部と内側の脇付近に互いを結びつけるための内側のひもである。外脇ひも８は、前身ごろ２の外側になる端部と外側の脇付近に互いを結びつけるための外側のひもである。
【００２０】
このような乳幼児用バスローブを着せるときは、図４に示すように寝具の上等の平らな所に置き、前身ごろ２を左右に開けた状態とし、頭を覆うためのフード１は、後襟ぐり線６の上部、すなわち頭部の位置に、頭を覆うためのフード１の内側が見えるように広げておく。乳児または幼児をこの上に寝かせ、左右の袖４に腕を通し、図３に示すように、内側になる前身ごろ２で乳幼児をくるみ、内脇ひも７を結ぶ。この時、乳幼児の胸に合わせて内脇ひも７の長さを調節する。つぎに、図１に示すように、外側になる前身ごろ２で乳幼児をくるみ、外脇ひも８を結ぶ。この時もやはり、乳幼児の胸に合わせて外脇ひも８の長さを調節する。
頭部の下には頭を覆うた  めのフード１があるのでそのままの状態で濡れた頭髪を拭くことができる。
また、乳幼児を抱き上げた状態や、歩行が可能な幼児等に着せた後でも、バスローブ本体部に連続して設けられた頭を覆うためのフード１を、頭部にかぶせるだけで、さらに入念に頭髪を拭くことも究めて簡単に行なうことができる。
また、乳幼児を抱き上げた状態や、歩行が可能な幼児等に着せた後でも、バスローブ本体部に連続して設けられた頭を覆うためのフード１を、頭部にかぶせることで乳幼児の頭部に残留した水分で冷やさないように保護することができる。
【００２１】
上記バスローブの本体部は、袖の有無、袖丈、丈、前身ごろの合わせの形状等は任意のデザインとすることができる。
本発明の乳幼児用バスローブは吸水性・速乾性のあるもの、例えばタオル地等を用いるのが好ましいが、天然繊維も好ましく、中でも獣毛・絹が好ましいが適宜選択することができる。
【実施例１】
【００２２】
フード１と前身ごろ２は縫合部がなく一枚の布であり、前身ごろ２の肩と後身ごろ３の肩を縫合することでできた肩線の位置は、肩の尾根よりも前身ごろの下方側にある肩線１１と、フード1の後方と後身ごろ3の襟ぐりを縫合してできた、後襟ぐり線6である本発明を、乳幼児に着させフードを被せた時、頬・顎・頸の辺りに付かず離れずほど良い空間ができるため、縫合部や接合具によって乳幼児のデリケートな肌が触れて擦れることによる肌荒れや傷をする危険性が無く、保護者は乳幼児の体を冷やさず保温性の良好な、かつ体を乾燥させることができるので安心して使用することができる。
バスローブ本体や足くるみタオル１３の生地を、吸水性のある天然繊維のタオル地で作った。このバスローブの前身ごろ２とフード１の間には縫合部がなく、肩線１１は前身ごろ２側へずらし、フード縫合線５は縫合線が２線存在して、該縫合線の位置がフード中心位置から大きくずれている本発明のバスローブを広げた上に乳幼児を寝かせ着せたところ、縫合部の段差が頭部に当たることも無く、縫合部による肌荒れや傷から守ることが出来たので、安心して保護者は使用できる乳幼児用バスローブであることがわかった。着脱可能な後裾１２に足くるみタオル１３を付けることで、乳幼児の足の指や下半身に付いた水分を除去し、体の冷えるのを防ぐことができた。
バスローブ本体や足くるみタオル１３の生地は、吸水性・速乾性のある天然繊維のタオル地が良い。
【産業上の利用可能性】
【００２３】
本発明の乳幼児用バスローブは、縫合による縫合部や接合具によって乳幼児のデリケートな肌が触れて擦れることによる肌荒れや傷をする危険性が大幅に減少することができる安全なものであり、乳幼児の肌荒れや傷を負わす危険性が大幅に減少するため保護者は安心して使用できる乳幼児用バスローブである。
バスローブ本体と連続して設けられた頭を覆うためのフード部分の間に少なくともバスローブ本体の前身ごろ部分には縫合部がないので、安全に安心して利用できる乳幼児用バスローブである。
【図面の簡単な説明】
【００２４】
【図１】外脇ひもを結び前締ひもを結んだ状態の乳幼児用バスローブの正面をあらわす説明図。
【図２】外脇ひもを結び前締ひもを結んだ状態の乳幼児用バスローブの背面をあらわす説明図。
【図３】内脇ひもを結んだ状態の乳幼児用バスローブの正面をあらわす説明図。
【図４】広げた状態の乳幼児用バスローブの正面をあらわす説明図。
【図５】足くるみタオルの概略図。
【図６】乳幼児用バスローブの後裾に着脱可能な足くるみタオルを装着した状態の正面をあらわす説明図。
【図７】頭を覆うためのフードと前身ごろの間に縫合部分のないことをあらわす説明図。
【図８】フードの縫合線を２線としたときの外脇ひもを結び前締ひもを結んだ状態の乳幼児用バスローブの背面をあらわす説明図。
【符号の説明】
【００２５】
１  フード
２  前身ごろ
３  後身ごろ
４  袖
５  フード縫合線
６  後襟ぐり線
７  内脇ひも
８  外脇ひも
９  脇線
１０袖下線
１１肩線
１２後裾
１３足くるみタオル